(57)【要約】【課題】シュリンクラベルの皺の発生原因となるエアー溜まりの防止機能を備える合成樹脂製壜体を提供する。【解決手段】合成樹脂製壜体は、口栓部及び筒状の胴部を有する合成樹脂体であって、胴部はラベル装着部を備え、ラベル装着部内の領域からラベル装着部の領域外に延びるエア溜まり防止用凹溝を有する。胴部とシュリンクラベルの間のエアはエア溜まり防止用凹溝を経てシュリンクラベルの外へ放出され、それによってエア溜まりによるシュリンクラベルの皺の発生は防止される。【選択図】  図３
2005008156.tif 000002
【特許請求の範囲】
【請求項１】
口栓部及び筒状の胴部を有する合成樹脂体であって、胴部はラベル装着部を備え、ラベル装着部内の領域からラベル装着部の領域外に延びるエア溜まり防止用凹溝を有することを特徴とする合成樹脂製壜体。
【請求項２】
胴部はくびれ部を有し、くびれ部の最小胴径部を含む領域にエア溜まり防止用凹溝が設けられていることを特徴とする請求項１に記載の合成樹脂製壜体。
【請求項３】
エア溜まり凹溝は、底部下端に至るまで伸びていることを特徴とする請求項１又は２に記載の合成樹脂製壜体。
【請求項４】
エア溜まり凹溝は、口栓部側から底部側へラベル装着部の領域を経由して伸びていることを特徴とする請求項１に記載の合成樹脂製壜体。
【請求項５】
エア溜まり凹溝は垂直方向に伸びていることを特徴とする請求項１乃至３の何れか一項に記載の合成樹脂製壜体。
【発明の詳細な説明】
【０００１】
【発明の属する技術分野】
本発明は合成樹脂製壜体に関する。
【０００２】
【従来の技術】
従来、例えば特許文献１に記載のように、胴部にラベル装着部を有するポリエチレンテレフタレート製壜体にそのラベル装着部に収縮フィルムからなるシュリンクラベルを装着することが行われている。
【０００３】
【特許文献１】
特開平２００１−３４１７７３号公報
【０００４】
【発明が解決しようとする課題】
しかし、図１に示すような胴部にパネル部を備えていない筒状の壜体１、２に図２、３に示すようにシュリンクラベル３を装着する場合、シュリンクラベル３をシュリンクさせて壜体１、２の胴部に装着する際に、壜体１、２の胴部とシュリンクラベル３の間にエアー溜まりが発生し、それによってシュリンクラベルの均一な収縮が妨げられ、シュリンクラベル装着時にシュリンクラベルの皺４が発生してしまう。
【０００５】
特に図２（Ａ）に示すように胴部にくびれを有する壜体２においてはより顕著にエアー溜まりが発生するため、シュリンクラベルの皺４の発生も著しく、そのため商品価値が損なわれてしまう。
【０００６】
本発明の目的は、シュリンクラベルの皺の発生原因となるエアー溜まりの防止機能を備える合成樹脂製壜体を提供することである。
【０００７】
請求項１に記載の発明は、上記の課題を解決するもので、口栓部及び筒状の胴部を有する合成樹脂体であって、胴部はラベル装着部を備え、ラベル装着部内の領域からラベル装着部の領域外に延びるエア溜まり防止用凹溝を有することを特徴とする合成樹脂製壜体を要旨とする。
【０００８】
本発明によれば、壜体にラベル装着部内の領域からラベル装着部の領域外に延びるエア溜まり防止用凹溝が備えられているので胴部とシュリンクラベルの間のエアはエア溜まり防止用凹溝を経てシュリンクラベルの外へ放出され、それによってエア溜まりによるシュリンクラベルの皺の発生は防止される。
【０００９】
本発明において、胴部はくびれ部を有する壜体の場合、くびれ部の最小胴径部を含む領域にエア溜まり防止用凹溝を設けるのが望ましい。これによってエア溜まりが顕著に発生するくびれ部において溜まった胴部とシュリンクラベルの間のエアはエア溜まり防止用凹溝を経てシュリンクラベルの外へ放出され、それによってエア溜まりによるシュリンクラベルの皺の発生は防止される。
【００１０】
本発明において、エア溜まり凹溝は、垂直方向に底部下端に至るまで延びるように設けることができる。この垂直方向に底部下端に至るまで延びるエア溜まり凹溝は底部を補強する補強リブとしての働きもする。
【００１１】
また、本発明において、エア溜まり凹溝は、口栓部側から底部側へラベル装着部の領域を経由して延びるように設けることによって、エア溜まりの発生の防止効果をあげることができる。
【００１２】
【発明の実施の形態】
図３（Ａ）、（Ｂ）は本発明の合成樹脂製壜体１、２を示し、壜体１は円筒状胴部を有する合成樹脂製壜体の例を示し、ラベル装着部Ｓ（上下の境界線ａ、ｂで囲まれた領域）からラベル装着部Ｓの領域外に底部の下端に至るまで延びるエア溜まり防止用凹溝５を有する。
【００１３】
図４（Ａ）（Ｂ）は、図３（Ａ）、（Ｂ）に示す本発明に係るポリエチレンテレフタレート、ポリプロピレン等からなる合成樹脂製壜体に、塩化ビニル樹脂、塩化ビニリデン樹脂、ポリエチレン、ポリプロピレン、ポリスチレン等の収縮フイルムからなるシュリンクラベルを装着した状態を示す。図３（Ａ）、（Ｂ）に示すように、合成樹脂製壜体１、２にラベル装着部Ｓ内の領域からラベル装着部Ｓの領域外に延びるエア溜まり防止用凹溝５が備えられているので、合成樹脂製壜体１、２の胴部とシュリンクラベル３の間のエアはエア溜まり防止用凹溝５を経てシュリンクラベル３の外へ放出され、それによってエア溜まりによるシュリンクラベルの皺の発生は防止され、図４（Ａ）、（Ｂ）に示すように合成樹脂製壜体１、２に皺の発生のない状態でシュリンクラベル３を装着することができる。
【００１４】
図３（Ｂ）に示すような胴部にくびれ部を有する合成樹脂製壜体の場合、くびれ部の最小胴径部を含む領域にエア溜まり防止用凹溝５を設けるのが望ましい。これによってエア溜まりが顕著に発生するくびれ部に溜まった胴部とシュリンクラベルの間のエアはエア溜まり防止用凹溝５を経てシュリンクラベル３の外へ放出され、それによってエア溜まりによるシュリンクラベルの皺の発生は防止される。
【００１５】
また、図３（Ａ）、（Ｂ）に示すように、垂直方向に底部下端に至るまで延びるエア溜まり凹溝５は底部を補強する補強リブとしての働きもする。
【００１６】
図５（Ａ）、（Ｂ）は別の実施の形態を示す。この実施の形態においては、図５（Ａ）に示すようにエア溜まり凹溝５を、口栓部側から底部側へラベル装着部Ｓの領域を経由して延びるように形成し、図５（Ｂ）に示すようにエア溜まり凹溝５をシュリンクラベル３の上端及び下端から露出させることによって、エア溜まりの発生の防止効果をあげることができる。
【００１７】
また、図６に示すようにエア溜まり凹溝５は垂直方向ではなく斜め方向にはしるように形成してもよい。
【００１８】
【発明の効果】
以上詳細に説明したように、本発明の合成樹脂製壜体は、口栓部及び筒状の胴部を有する合成樹脂体であって、胴部はラベル装着部を備え、ラベル装着部内の領域からラベル装着部の領域外に延びるエア溜まり防止用凹溝を有するものであるので、胴部とシュリンクラベルの間のエアはエア溜まり防止用凹溝を経てシュリンクラベルの外へ放出され、それによってエア溜まりによるシュリンクラベルの皺の発生は防止され、皺の発生なくシュリンクラベルを装着し得るという利点を有する。
【００１９】
特に、胴部にくびれ部を有する合成樹脂製壜体の場合、くびれ部の最小胴径部を含む領域にエア溜まり防止用凹溝を設けると、エア溜まりが顕著に発生する傾向があるくびれ部に溜まった胴部とシュリンクラベルの間のエアはエア溜まり防止用凹溝を経てシュリンクラベルの外へ放出され、それによってエア溜まりによるシュリンクラベルの皺の発生なくシュリンクラベルの装着を行うことができる。
【図面の簡単な説明】
【図１】従来のパネル部を備えていない合成樹脂製壜体を示し、（Ａ）は円筒状の胴部を有する合成樹脂製壜体の側面図、（Ｂ）は胴部にくびれ部を有する合成樹脂製壜体の側面図である。
【図２】図１（Ａ）、（Ｂ）に示す合成樹脂製壜体にシュリンクラベルを装着した状態を示し、（Ａ）はシュリンクラベルを装着した、図１（Ａ）に示す合成樹脂製壜体の側面図、（Ｂ）はシュリンクラベルを装着した、図１（Ｂ）に示す合成樹脂製壜体の側面図である。
【図３】本発明の合成樹脂製壜体を示し、（Ａ）は円筒状の胴部を有する合成樹脂製壜体の側面図、（Ｂ）は胴部にくびれ部を有する合成樹脂製壜体の側面図である。
【図４】図３（Ａ）、（Ｂ）に示す合成樹脂製壜体にシュリンクラベルを装着した状態を示し、（Ａ）はシュリンクラベルを装着した、図３（Ａ）に示す合成樹脂製壜体の側面図、（Ｂ）はシュリンクラベルを装着した、図３（Ｂ）に示す合成樹脂製壜体の側面図である。
【図５】本発明の別の実施の形態を示し（Ａ）は本発明の別の実施の形態に係る合成樹脂製壜体の側面図、（Ｂ）はシュリンクラベルを装着した、（Ａ）に示す合成樹脂製壜体の側面図である。
【図６】本発明の更に別の実施の形態の側面図である。
【符号の説明】
１        合成樹脂製壜体
２        合成樹脂体
３        シュリンクラベル
４        シュリンクラベルの皺
５        エア溜まり防止用凹溝
Ｓ        ラベル装着部
ａ、ｂ    ラベル装着部の領域を示す線
【図１】
2005008156.tif 000003
【図２】
2005008156.tif 000004
【図３】
2005008156.tif 000005
【図４】
2005008156.tif 000006
【図５】
2005008156.tif 000007
【図６】
2005008156.tif 000008